(57)【要約】【課題】ワーク切断後の固定砥粒ワイヤの引き抜きにおいて、ワークに固定砥粒ワイヤが引っ掛かってソーマークが生じたり、固定砥粒ワイヤの断線が発生したりすることがないワークの切断方法及びワイヤソーを提供する。【解決手段】固定砥粒ワイヤを、複数の溝付ローラに巻きかけることによってワイヤ列を形成し、固定砥粒ワイヤにクーラントを供給し、固定砥粒ワイヤを軸方向に往復走行させながら、ワーク保持手段で保持したワークを、ワイヤ列に対して切り込み送りすることによって、ワークを軸方向に並ぶ複数の箇所で同時に切断するワイヤソーによるワークの切断方法において、ワークの切断終了後、かつ、ワイヤ列から前記ワークを引き抜く時に、クーラントの流量を１８０Ｌ／ｍｉｎ．以上とし、かつ、固定砥粒ワイヤの軸方向の走行速度を６ｍ／ｍｉｎ．以上、３０ｍ／ｍｉｎ．以下とすることを特徴とするワークの切断方法。【選択図】図１
2020185649.tif 000002
【特許請求の範囲】
【請求項１】
表面に砥粒が固着された固定砥粒ワイヤを、複数の溝付ローラに巻きかけることによってワイヤ列を形成し、前記固定砥粒ワイヤにクーラントを供給し、前記固定砥粒ワイヤを軸方向に往復走行させながら、ワークに貼り付けられた接合部材を介してワーク保持手段で保持した前記ワークを、前記ワイヤ列に対して切り込み送りすることによって、前記ワークを軸方向に並ぶ複数の箇所で同時に切断するワイヤソーによるワークの切断方法において、
前記ワークの切断終了後、かつ、前記ワイヤ列から前記ワークを引き抜く時に、前記クーラントの流量を１８０Ｌ／ｍｉｎ．以上とし、かつ、前記固定砥粒ワイヤの軸方向の走行速度を６ｍ／ｍｉｎ．以上、３０ｍ／ｍｉｎ．以下とすることを特徴とするワークの切断方法。
【請求項２】
前記クーラントの流量を２５０Ｌ／ｍｉｎ．以下とすることを特徴とする請求項１に記載のワークの切断方法。
【請求項３】
表面に砥粒が固着された固定砥粒ワイヤが、複数の溝付ローラに巻きかけられることによって形成されたワイヤ列と、
前記固定砥粒ワイヤにクーラントを供給するクーラント供給機構と、
ワークに貼り付けられた接合部材を介してワーク保持手段により前記ワークを保持しながら、該ワークを前記ワイヤ列に対して切り込み送りするワーク送り機構とを具備し、
前記固定砥粒ワイヤを軸方向に往復走行させながら、前記ワイヤ列に対して前記ワーク送り機構により前記ワークを切り込み送りすることにより、前記ワークを軸方向に並ぶ複数の箇所で同時に切断するワイヤソーであって、
前記ワークの切断終了後、かつ、前記ワイヤ列から前記ワークを引き抜く時に、前記クーラントの流量が１８０Ｌ／ｍｉｎ．以上で、かつ、前記固定砥粒ワイヤの軸方向の走行速度が６ｍ／ｍｉｎ．以上、３０ｍ／ｍｉｎ．以下に制御するものであることを特徴とするワイヤソー。
【請求項４】
前記クーラントの流量が２５０Ｌ／ｍｉｎ．以下のものであることを特徴とする請求項３に記載のワイヤソー。
【発明の詳細な説明】
【技術分野】
【０００１】
本発明はワークの切断方法及びワイヤソーに関する。
【背景技術】
【０００２】
従来、シリコンインゴットや化合物半導体インゴットなどからウェーハを切り出す手段として、ワイヤソーが知られている。このワイヤソーでは、複数のローラの周囲に切断用ワイヤが多数巻き掛けられることによりワイヤ列が形成されており、その切断用ワイヤが軸方向に高速駆動され、かつ、スラリが適宜供給されながら前記ワイヤ列に対してワークが切り込み送りされることにより、このワークがワイヤ列の各位置で同時に切断されるようにしたものである（特許文献１参照）。
【０００３】
ここで、図３に、従来の一般的なワイヤソーの一例の概要を示す。図３に示すように、このワイヤソー１０１は、主に、ワークＷ’を切断するためのワイヤ１０２（高張力鋼線）、ワイヤ１０２を巻掛けた溝付ローラ１０３，１０３’、ワイヤ１０２を複数の溝付ローラ１０３、１０３’に巻きかけられることによって形成されたワイヤ列１３０、ワイヤ１０２の張力を調整する張力調整機構１０４，１０４’、切断されるワークＷ’を下方へ送り出すワーク送り機構１０５、切断時にスラリ供給するスラリ供給機構１０６で構成されている。
【０００４】
ワイヤ１０２は、一方のワイヤリール１０７から繰り出され、トラバーサ１０８、プーリー１０９、張力調整機構１０４を経て、溝付ローラ１０３，１０３’に３００〜５００回程度巻掛けられた後、もう一方の張力調整機構１０４’、プーリー１０９’、トラバーサ１０８’を経てワイヤリール１０７’に巻き取られている。
【０００５】
また、溝付ローラ１０３，１０３’は鉄鋼製円筒の周囲にポリウレタン樹脂を圧入し、その表面に略一定のピッチで溝を切ったローラであり、巻掛けられたワイヤ１０２が溝付ローラ駆動モータ１１０によって、一方向あるいは、予め定められた周期で往復方向に駆動できるようになっている。
【０００６】
ワイヤリール１０７、１０７’はワイヤリール駆動モータ１１１、１１１’によって回転駆動され、溝付ローラ駆動モータ１１０とワイヤリール駆動モータ１１１，１１１’の速度をそれぞれ制御することにより、ワイヤ１０２にかかる張力を調整することができる。
【０００７】
また、図３のワークＷ’を下方へ送り出すワーク送り機構１０５は、図４のように、ワーク保持部１１２、ワークプレート１１３から構成されるワーク保持手段１１４を有しており、ワークプレート１１３には、ワークＷ’に貼り付けられた接合部材（ビーム）１２０を介してワークＷ’が接着される。
【０００８】
ワークＷ’切断時には、ワーク送り機構１０５によってワークＷ’は保持されつつ相対的に押し下げられ、溝付ローラ１０３に巻きかけられたワイヤ１０２からなるワイヤ列１３０に対して送り出される。
【０００９】
このようなワイヤソー１０１を用い、ワイヤ１０２に張力調整機構１０４，１０４’を用いて適当な張力をかけて、ワイヤリール駆動モータ１１１，１１１’によりワイヤ１０２を往復方向に走行させながら、スラリ供給機構１０６からスラリを供給し、ワーク送り機構１０５でワークＷ’を切り込み送りすることでワークＷ’を切断する。
【００１０】
一方、砥粒を含むスラリを使用せず、代わりにダイヤモンド砥粒等をワイヤの表面に固着した固定砥粒ワイヤを使用して、ワークを切断する方法も知られており、直径１５０ｍｍ程度以下の小直径インゴットの切断には一部で実用化している。
【００１１】
この固定砥粒ワイヤによる切断では、図３に示したワイヤソーの鋼線ワイヤの代わりに固定砥粒ワイヤを装着し、スラリを砥粒が含まれない冷却水などのクーラントに変えることで、一般的なワイヤソーをそのまま使用することができる。
【先行技術文献】
【特許文献】
【００１２】
【特許文献１】特開平９−２６２８２６号公報
【発明の概要】
【発明が解決しようとする課題】
【００１３】
固定砥粒ワイヤによる切断では、遊離砥粒を使用していないため、環境面からも産業廃棄物が少ないという利点がある。また、加工速度が速いという利点もあり、遊離砥粒を利用したワイヤソーによる加工と比べて便利な点が多い。しかしながら、ワイヤソーでは、図３に示すように、溝付ローラ１０３に巻掛けられた１本のワイヤ１０２に対しワークＷ’を押しつけて移動させて切断するため、切断終了時にワークＷ’はワークＷ’を押し付けたワイヤ１０２の下側へ位置している。そのため、ワークＷ’を取り出すためには、ワークＷ’を上方へ移動させることにより、ワイヤ１０２を、切断されてウェーハ状となったワークＷ’の間隙を通過させて相対的に下側へ引き抜く必要がある。
【００１４】
ワイヤを引き抜く際、遊離砥粒を用いたワイヤソーの場合は、図５（ａ）に示すように、遊離砥粒Ｇの幅の分だけワイヤ１０２とワークＷ’との間に隙間（クリアランス）ができるため、ワイヤ１０２の抜き取りは比較的容易であった。しかし、図５（ｂ）に示すように、固定砥粒を用いたワイヤソーの場合、固定砥粒ワイヤ４０２とワークＷ’との間には隙間が生じないため、固定砥粒ワイヤ４０２が抜け難い。
【００１５】
よって、ワークＷ’に引っ掛かって固定砥粒ワイヤ４０２が浮き上がり、この状態で固定砥粒ワイヤ４０２を抜こうとすると、ワーク切断面がダメージを受けて当該切断面に、所謂、ソーマークが生じ、これによってＷａｒｐが悪化して品質を損なう。固定砥粒ワイヤ４０２の浮き上がりがさらに大きくなった場合には、ワイヤ断線に至ることがある。ワイヤ断線が発生した場合には、固定砥粒ワイヤを溝付ローラに巻掛け直す手間が必要となり、また巻掛け直す分の固定砥粒ワイヤが余分に必要になるなど損失が大きい。
【００１６】
本発明は前述のような問題に鑑みてなされたもので、ワーク切断後の固定砥粒ワイヤの引き抜きにおいて、ワークに固定砥粒ワイヤが引っ掛かってソーマークが生じたり、固定砥粒ワイヤの断線が発生したりすることがないワークの切断方法及びワイヤソーを提供することを目的とする。
【課題を解決するための手段】
【００１７】
上記目的を達成するために、本発明は、表面に砥粒が固着された固定砥粒ワイヤを、複数の溝付ローラに巻きかけることによってワイヤ列を形成し、前記固定砥粒ワイヤにクーラントを供給し、前記固定砥粒ワイヤを軸方向に往復走行させながら、ワークに貼り付けられた接合部材を介してワーク保持手段で保持した前記ワークを、前記ワイヤ列に対して切り込み送りすることによって、前記ワークを軸方向に並ぶ複数の箇所で同時に切断するワイヤソーによるワークの切断方法において、
前記ワークの切断終了後、かつ、前記ワイヤ列から前記ワークを引き抜く時に、前記クーラントの流量を１８０Ｌ／ｍｉｎ．以上とし、かつ、前記固定砥粒ワイヤの軸方向の走行速度を６ｍ／ｍｉｎ．以上、３０ｍ／ｍｉｎ．以下とすることを特徴とするワークの切断方法を提供する。
【００１８】
本発明のワーク切断方法であれば、ワークと固定砥粒ワイヤ間の潤滑性を高めて、ワーク引き抜き時の固定砥粒ワイヤの引っ掛かりの発生を防ぐことができる。そのため、本発明のワークの切断方法であれば、ワークに固定砥粒ワイヤが引っかかることに起因するソーマークの発生、及び固定砥粒ワイヤの断線の発生を防止することができる。
【００１９】
このとき、前記クーラントの流量を２５０Ｌ／ｍｉｎ．以下とすることが好ましい。
このようにクーラントの供給を抑えることにより、上述した効果を得つつ、クーラントの使用量を抑えることもできる。
【００２０】
また、上記目的を達成するために、本発明は、表面に砥粒が固着された固定砥粒ワイヤが、複数の溝付ローラに巻きかけられることによって形成されたワイヤ列と、
前記固定砥粒ワイヤにクーラントを供給するクーラント供給機構と、
ワークに貼り付けられた接合部材を介してワーク保持手段により前記ワークを保持しながら、該ワークを前記ワイヤ列に対して切り込み送りするワーク送り機構とを具備し、
前記固定砥粒ワイヤを軸方向に往復走行させながら、前記ワイヤ列に対して前記ワーク送り機構により前記ワークを切り込み送りすることにより、前記ワークを軸方向に並ぶ複数の箇所で同時に切断するワイヤソーであって、
前記ワークの切断終了後、かつ、前記ワイヤ列から前記ワークを引き抜く時に、前記クーラントの流量が１８０Ｌ／ｍｉｎ．以上で、かつ、前記固定砥粒ワイヤの軸方向の走行速度が６ｍ／ｍｉｎ．以上、３０ｍ／ｍｉｎ．以下に制御するものであることを特徴とするワイヤソーを提供する。
【００２１】
本発明のワイヤソーであれば、ワークと固定砥粒ワイヤ間の潤滑性を高めて、ワーク引き抜き時の固定砥粒ワイヤの引っ掛かりの発生を防ぐことができる。そのため、本発明のワイヤソーであれば、ワークに固定砥粒ワイヤが引っかかることに起因するソーマークの発生、及び固定砥粒ワイヤの断線の発生を防止することができるものとなる。
【００２２】
また、前記クーラントの流量が２５０Ｌ／ｍｉｎ．以下のものであることが好ましい。
このようにクーラントの供給を抑えることにより、上述した効果を得つつ、クーラントの使用量を抑えることができるものとなる。
【発明の効果】
【００２３】
以上のように、本発明のワークの切断方法及びワイヤソーであれば、ワーク切断後の固定砥粒ワイヤの引き抜きにおいて、ワークに固定砥粒ワイヤが引っ掛かることに起因するソーマークや固定砥粒ワイヤの断線を防止することができる。この結果、ワークとの接触に起因する固定砥粒ワイヤの巻掛け直しや、巻掛け直す分の固定砥粒ワイヤを追加する必要がなくなり、一つのワイヤソーで次々にワークを切断することもできる。
【図面の簡単な説明】
【００２４】
【図１】本発明のワークの切断方法に用いることができるワイヤソーの一例を示す概略図である。
【図２】（ａ）ワークの切断終了時のワークと固定砥粒ワイヤの位置関係を示す図である。（ｂ）ワイヤの引っ掛かり発生時のワークと固定砥粒ワイヤの状態を示す図である。（ｃ）ワークの引き抜き終了時のワークと固定砥粒ワイヤの位置関係を示す図である。
【図３】一般的なワイヤソーの一例を示す概略図である。
【図４】一般的なワイヤソーのワーク保持手段の一例を示す概略図である。
【図５】（ａ）遊離砥粒を用いたワイヤソーの場合（遊離砥粒方式）における、ワイヤの抜き取りを示す説明図である。（ｂ）固定砥粒ワイヤを用いたワイヤソーの場合（固定砥粒方式）における、ワイヤの抜き取りを示す説明図である。
【発明を実施するための形態】
【００２５】
以下、本発明について実施の形態を説明するが、本発明はこれに限定されるものではない。
【００２６】
上記のように、固定砥粒ワイヤを用いてワークの切断を行う場合、ワイヤ列から切断後のワークを引き抜く際に、固定砥粒ワイヤがワークに引っ掛かり、切断面にソーマークが生じたり、固定砥粒ワイヤが断線したりするという問題があった。
【００２７】
そこで、本発明者はこのような問題を解決すべく鋭意検討を重ねた。その結果、固定砥粒ワイヤを用いたワイヤソーによるワークの切断方法において、ワークの切断終了後、かつ、ワイヤ列からワークを引き抜く時に、クーラント流量及び固定砥粒ワイヤの軸方向の走行速度を所定の値とすれば、固定砥粒ワイヤがワークに引っ掛かることなくワークを引き抜くことができることを発見し、本発明を完成させた。
【００２８】
即ち、本発明は、表面に砥粒が固着された固定砥粒ワイヤを、複数の溝付ローラに巻きかけることによってワイヤ列を形成し、前記固定砥粒ワイヤにクーラントを供給し、前記固定砥粒ワイヤを軸方向に往復走行させながら、ワークに貼り付けられた接合部材を介してワーク保持手段で保持した前記ワークを、前記ワイヤ列に対して切り込み送りすることによって、前記ワークを軸方向に並ぶ複数の箇所で同時に切断するワイヤソーによるワークの切断方法において、
前記ワークの切断終了後、かつ、前記ワイヤ列から前記ワークを引き抜く時に、前記クーラントの流量を１８０Ｌ／ｍｉｎ．以上とし、かつ、前記固定砥粒ワイヤの軸方向の走行速度を６ｍ／ｍｉｎ．以上、３０ｍ／ｍｉｎ．以下とすることを特徴とするワークの切断方法である。
【００２９】
また、本発明は、表面に砥粒が固着された固定砥粒ワイヤが、複数の溝付ローラに巻きかけられることによって形成されたワイヤ列と、
前記固定砥粒ワイヤにクーラントを供給するクーラント供給機構と、
ワークに貼り付けられた接合部材を介してワーク保持手段により前記ワークを保持しながら、該ワークを前記ワイヤ列に対して切り込み送りするワーク送り機構とを具備し、
前記固定砥粒ワイヤを軸方向に往復走行させながら、前記ワイヤ列に対して前記ワーク送り機構により前記ワークを切り込み送りすることにより、前記ワークを軸方向に並ぶ複数の箇所で同時に切断するワイヤソーであって、
前記ワークの切断終了後、かつ、前記ワイヤ列から前記ワークを引き抜く時に、前記クーラントの流量が１８０Ｌ／ｍｉｎ．以上で、かつ、前記固定砥粒ワイヤの軸方向の走行速度が６ｍ／ｍｉｎ．以上、３０ｍ／ｍｉｎ．以下に制御するものであることを特徴とするワイヤソーである。
【００３０】
以下、本発明について図面を参照しながら詳細に説明するが、本発明はこれらに限定されるものではない。
【００３１】
［ワイヤソー］
まず、本発明のワークの切断方法に用いることができるワイヤソーについて、図１を参照して説明する。図１に示すように、本発明のワイヤソー１は、主に、ワークＷを切断するための表面に砥粒が固着された固定砥粒ワイヤ２、固定砥粒ワイヤ２を巻掛けた溝付ローラ３，３’、固定砥粒ワイヤ２が複数の溝付ローラ３、３’に巻きかけられることによって形成されたワイヤ列３０、切断されるワークＷをワイヤ列３０に対して下方へ送り出すワーク送り機構５、固定砥粒ワイヤ２にクーラントを供給するクーラント供給機構６で構成されている。
ワーク送り機構５は、従来のワーク送り機構１０５のように、図４に示すようなワーク保持手段を有しており、このワーク保持手段はワークＷに貼り付けられた接合部材（ビーム）２０（図１）を介してワークＷを保持する。
【００３２】
ワイヤソー１は、さらに、固定砥粒ワイヤ２の張力を調整する張力調整機構４，４’を具備することができる。
図１において、固定砥粒ワイヤ２は、一方のワイヤリール７から繰り出され、トラバーサ８、プーリー９、張力調整機構４を経て、溝付ローラ３，３’に３００〜５００回程度巻掛けられた後、もう一方の張力調整機構４’、プーリー９’、トラバーサ８’を経てワイヤリール７’に巻き取られている。
【００３３】
溝付ローラ３，３’は例えば、鉄鋼製円筒の周囲にポリウレタン樹脂を圧入し、その表面に略一定のピッチで溝を切ったローラであり、巻掛けられた固定砥粒ワイヤ２が溝付ローラ駆動モータ１０によって、一方向あるいは、予め定められた周期で往復方向に駆動できるようになっている。
【００３４】
ワイヤリール７、７’はワイヤリール駆動モータ１１、１１’によって回転駆動され、溝付ローラ駆動モータ１０とワイヤリール駆動モータ１１，１１’の速度をそれぞれ制御することにより、固定砥粒ワイヤ２にかかる張力を調整することができる。
【００３５】
このようなワイヤソー１は、固定砥粒ワイヤ２をその軸方向に往復走行させながら、ワイヤ列３０に対してワーク送り機構５によりワークＷを切り込み送りすることにより、ワークＷを軸方向に並ぶ複数の箇所で同時に切断する。
固定砥粒ワイヤ２の往復走行は、複数の溝付ローラ３、３’間に巻回された固定砥粒ワイヤ２を一方向へ所定の長さ前進させた後に、他方向へ前述の前進量よりも少ない長さ後退させ、これを一送りサイクルとして、このサイクルを繰り返すことにより、ワイヤを一方向へ送り出す等の方法により行われる。溝付ローラ３’は、巻掛けられた固定砥粒ワイヤ２が、溝付ローラ駆動モータ１０によって予め定められた周期で往復方向に駆動できるようになっている。
【００３６】
さらに、本発明のワイヤソー１は、ワークＷの切断終了後、かつ、ワイヤ列３０からワークＷを引き抜く時に、クーラントの流量が１８０Ｌ／ｍｉｎ．以上で、かつ、固定砥粒ワイヤ２の軸方向の走行速度が６ｍ／ｍｉｎ．以上、３０ｍ／ｍｉｎ．以下に制御するものである。
【００３７】
ここで、図２の（ａ）、（ｃ）は、それぞれワークの切断終了時とワーク引き抜き終了時のワークＷと溝付ローラ２０３、２０３’に巻掛けられた固定砥粒ワイヤ２０２の位置関係を示した図である。図２（ａ）に示したように、切断終了時には、ワークＷがワイヤ列よりも下側へ位置している。そのため、ワークＷを取り出すには、ワークＷを上方へ移動させることにより、切断されてウェーハ状となったワークＷのウェーハ間の隙間を通過させて、固定砥粒ワイヤ２０２を相対的に下側へ引き抜く必要がある。
【００３８】
しかし、このような固定砥粒ワイヤを用いた従来のワイヤソーの場合、固定砥粒ワイヤ２０２とワークＷとの間にはクリアランスが生じないため（図５の（ｂ）参照）、固定砥粒ワイヤ２０２がワークＷに引っ掛かって、図２（ｂ）に示すように浮き上がり、ワークＷの切断面にソーマークが生じたり、ワイヤ断線が発生したりする。
【００３９】
これに対して、本発明のワイヤソー１は、クーラント流量および固定砥粒ワイヤ２の軸方向の走行速度を上記のように制御器３１により制御することにより、ワークＷと固定砥粒ワイヤ２間の潤滑性を高めて、ワークＷ引き抜き時の固定砥粒ワイヤ２の引っ掛かりを防止することができる。そのため、本発明のワイヤソー１であれば、ワークＷに固定砥粒ワイヤ２が引っかかることに起因するソーマークの発生、及び固定砥粒ワイヤの断線の発生を防止することができる。
【００４０】
また、前記クーラントの流量が２５０Ｌ／ｍｉｎ．以下のものであることが好ましい。
このようにクーラントの供給を抑えることにより、上述した効果を得つつ、クーラントの使用量を抑えることもできる。
【００４１】
［ワーク切断方法］
続いて、本発明のワークの切断方法を、上記本発明のワイヤソーを用いる場合を例に説明する。まず、図１に示すように、表面に砥粒が固着された固定砥粒ワイヤ２を複数の溝付ローラ３、３’に巻掛けることによってワイヤ列３０を形成する。続いて、固定砥粒ワイヤ２を溝付ローラ駆動モータ１０によって、固定砥粒ワイヤ２の軸方向に往復走行させる。このとき、固定砥粒ワイヤ２に張力調整機構４、４’を用いて適当な張力をかけて、ワイヤリール駆動モータ１１、１１’により固定砥粒ワイヤ２を往復方向に走行させながら、固定砥粒ワイヤ２にかかる張力を調整できる。そして、クーラント供給機構６から固定砥粒ワイヤ２にクーラントを供給し、固定砥粒ワイヤ２を往復方向に走行させながら、円柱状のワークＷに貼り付けられた接合部材２０を介してワーク保持手段で保持したワークＷを、ワイヤ列３０に対して切り込み送りすることにより、ワークＷを軸方向に並ぶ複数の箇所で同時に切断する。
【００４２】
以上は前述したワーク切断方法と同じであるが、本発明のワークの切断方法においては、ワークＷの切断終了後、かつ、ワイヤ列３０からワークＷを引き抜く時に、クーラントの流量を１８０Ｌ／ｍｉｎ．以上とし、かつ、固定砥粒ワイヤ２の軸方向の走行速度を６ｍ／ｍｉｎ．以上、３０ｍ／ｍｉｎ．以下とする点で、通常のワーク切断方法と異なる。
【００４３】
このような本発明のワーク切断方法であれば、ワークＷと固定砥粒ワイヤ２間の潤滑性を高めて、ワークＷ引き抜き時の固定砥粒ワイヤ２の引っ掛かりの発生を防ぐことができる。そのため、本発明のワークの切断方法であれば、ワークＷに固定砥粒ワイヤ２が引っかかることに起因するソーマークの発生、及び固定砥粒ワイヤの断線の発生を防止することができる。
【００４４】
このとき、前記クーラントの流量を２５０Ｌ／ｍｉｎ．以下とすることが好ましい。
このようにクーラントの供給を抑えることにより、上述した効果を得つつ、クーラントの使用量を抑えることもできる。
【実施例】
【００４５】
以下、本発明の実施例及び比較例により本発明を具体的に説明するが、本発明はこれらに限定されるものではない。
（実施例及び比較例）
【００４６】
図１に示すような本発明のワイヤソー１を用いて、本発明のワークの切断方法に従い、円柱状のワークＷの切断を行い、ワイヤ列３０からのワークＷの引き抜きを行った。比較例のワーク切断方法を用いてワークの切断及びワーク引き抜きを行った。実施例及び比較例の共通条件を表１に示す。
【００４７】
【表１】
2020185649.tif 000003
【００４８】
次に、実施例及び比較例のワークの切断終了後、かつ、ワイヤ列からワークを引き抜く時の条件を表２に示す。その結果を表３に示す。
【００４９】
【表２】
2020185649.tif 000004
【００５０】
【表３】
2020185649.tif 000005
【００５１】
その結果、表３に示すように、ワークの切断終了後、かつ、ワイヤ列からワークを引き抜く時に、クーラントの流量を１８０Ｌ／ｍｉｎ．以上とし、かつ、固定砥粒ワイヤの軸方向の走行速度を６ｍ／ｍｉｎ．以上、３０ｍ／ｍｉｎ．以下とした実施例１〜６では、引き抜き時に断線やソーマークの発生は無かった。対して、クーラント流量及び固定砥粒ワイヤの軸方向の走行速度のうち少なくとも一方が本発明の範囲外であった比較例１〜８では、引き抜き時に断線及びソーマークが確認された。
【００５２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００５３】
１、１０１…ワイヤソー、
２、２０２、４０２…固定砥粒ワイヤ、  １０２…ワイヤ、
３、３’、１０３、１０３’、２０３、２０３’…溝付ローラ、
４、４’、１０４、１０４’…張力調整機構、  ５、１０５…ワーク送り機構、
６…クーラント供給機構、  １０６…スラリ供給機構、
７、７’、１０７、１０７’…ワイヤリール、
８、８’、１０８、１０８’…トラバーサ、
９、９’、１０９、１０９’…プーリー、
１０、１１０…溝付ローラ駆動モータ、
１１、１１’、１１１、１１１’…ワイヤリール駆動モータ、
１１２…ワーク保持部、
１１３…ワークプレート、
１１４…ワーク保持手段、
２０、１２０…接合部材、  ３１…制御器、
３０、１３０…ワイヤ列、
Ｗ、Ｗ’…ワーク、  Ｇ…遊離砥粒。
【図１】
2020185649.tif 000006
【図２】
2020185649.tif 000007
【図３】
2020185649.tif 000008
【図４】
2020185649.tif 000009
【図５】
2020185649.tif 000010